(57)【要約】【課題】ＶＡモードの液晶を用いた液晶表示装置において、輝度の視野角特性を向上させつつ、従来よりも表示画質を向上させることが可能な液晶表示装置を提供する。【解決手段】サブ画素２０Ａに対する分割駆動動作の際に、高輝度領域において、液晶素子２２Ａへの液晶印加電圧が、映像信号Ｄ１に対応する入力印加電圧以上の高電圧側となりつつ、中間輝度領域と比べて低電圧傾向となるようにする。これにより、従来の分割駆動動作と比べ、液晶の方位角ぶれが発生しにくくなる。また、サブ画素２０Ｂに対する分割駆動動作の際に、低輝度領域において、液晶素子２２Ｂへの液晶印加電圧が、映像信号Ｄ１に対応する入力印加電圧以下の低電圧側となりつつ、中間輝度領域と比べて高電圧傾向となるようにする。これにより、オーバードライブ駆動を行う際に、従来の分割駆動動作と比べ、ゆり戻し現象が発生しにくくなる。【選択図】図１
2010008681.tif 000002
【特許請求の範囲】
【請求項１】
全体としてマトリクス状に配置されると共に、垂直配向（ＶＡ）モードの液晶により構成された液晶素子を有する複数の画素と、
各画素の液晶素子に対して入力映像信号に基づく電圧を印加することにより表示駆動を行うと共に、前記入力映像信号に基づき、各画素に対する表示駆動を空間的または時間的に複数に分割して分割駆動動作を行う駆動部と
を備え、
前記分割駆動動作が、
前記液晶素子に対して印加される液晶印加電圧が、前記入力映像信号に対応する入力印加電圧以上の高電圧側となるように分割駆動動作を行う第１の分割駆動動作群と、
前記液晶印加電圧が、前記入力印加電圧以下の低電圧側となるように分割駆動動作を行う第２の分割駆動動作群と
により構成され、
前記駆動部は、
前記第１の分割駆動動作群における動作を行う際に、少なくとも中間輝度領域において、前記液晶印加電圧が前記入力印加電圧よりも高電圧側となると共に、高輝度領域において、前記液晶印加電圧が、前記入力印加電圧以上の高電圧側となりつつ前記中間輝度領域と比べて低電圧傾向となるように分割駆動動作を行い、
前記第２の分割駆動動作群における動作を行う際に、少なくとも前記中間輝度領域において、前記液晶印加電圧が前記入力印加電圧よりも低電圧側となると共に、低輝度領域において、前記液晶印加電圧が、前記入力印加電圧以下の低電圧側となりつつ前記中間輝度領域と比べて高電圧傾向となるように分割駆動動作を行う
液晶表示装置。
【請求項２】
前記駆動部は、前記第２の分割駆動動作群における動作を行う際に、前記低輝度領域のうちの前記入力映像信号における最低輝度階調以外では、前記液晶印加電圧が前記最低輝度階調に対応する最低電圧よりも高電圧側となるように分割駆動動作を行う
請求項１に記載の液晶表示装置。
【請求項３】
前記画素が、
前記第１の分割駆動動作群における動作を行う際に用いられるサブ画素を有する第１のサブ画素群と、
前記第２の分割駆動動作群における動作を行う際に用いられるサブ画素を有する第２のサブ画素群と
により構成され、
前記駆動部は、前記入力映像信号に基づき、各画素に対する表示駆動を前記サブ画素群ごとに空間的に複数に分割して分割駆動動作を行う
請求項１または請求項２に記載の液晶表示装置。
【請求項４】
前記駆動部は、前記映像信号と各サブ画素群に対応する映像信号とを対応付けてなる第１のＬＵＴ（ルックアップテーブル）を用いることにより、各画素に対する表示駆動を前記サブ画素群ごとに空間的に複数に分割して分割駆動動作を行う
請求項３に記載の液晶表示装置。
【請求項５】
前記駆動部は、前記入力映像信号を前記液晶印加電圧にＤ／Ａ（デジタル／アナログ）変換する際に用いるリファレンス電圧が、前記サブ画素群ごとに互いに異なるように設定することにより、各画素に対する表示駆動を前記サブ画素群ごとに空間的に複数に分割して分割駆動動作を行う
請求項３に記載の液晶表示装置。
【請求項６】
各画素に対する表示駆動の単位フレーム期間が、
前記第１の分割駆動動作群における動作を行う際に用いられるサブフレーム期間を有する第１のサブフレーム期間群と、
前記第２の分割駆動動作群における動作を行う際に用いられるサブフレーム期間を有する第２のサブフレーム期間群と
により構成され、
前記駆動部は、前記入力映像信号に基づき、各画素に対する表示駆動を前記サブフレーム期間群ごとに時間的に複数に分割して分割駆動動作を行う
請求項１に記載の液晶表示装置。
【請求項７】
前記駆動部は、前記映像信号と各サブフレーム期間群に対応する映像信号とを対応付けてなる第２のＬＵＴ（ルックアップテーブル）を用いることにより、各画素に対する表示駆動を前記サブフレーム期間群ごとに時間的に複数に分割して分割駆動動作を行う
請求項６に記載の液晶表示装置。
【請求項８】
前記駆動部は、前記入力映像信号を前記液晶印加電圧にＤ／Ａ（デジタル／アナログ）変換する際に用いるリファレンス電圧が、前記サブフレーム期間群ごとに互いに異なるように設定することにより、各画素に対する表示駆動を前記サブフレーム期間群ごとに時間複数に分割して分割駆動動作を行う
請求項６に記載の液晶表示装置。
【請求項９】
全体としてマトリクス状に配置されると共に、垂直配向（ＶＡ）モードの液晶により構成された液晶素子を有する複数の画素と、
各画素の液晶素子に対して入力映像信号に基づく電圧を印加することにより表示駆動を行うと共に、前記入力映像信号に基づき、各画素に対する表示駆動を空間的または時間的に複数に分割して分割駆動動作を行う駆動部と
を備え、
前記分割駆動動作が、
前記液晶素子に対して印加される液晶印加電圧が、前記入力映像信号に対応する入力印加電圧以上の高電圧側となるように分割駆動動作を行う第１の分割駆動動作群と、
前記液晶印加電圧が、前記入力印加電圧以下の低電圧側となるように分割駆動動作を行う第２の分割駆動動作群と
により構成され、
前記駆動部は、
前記第１の分割駆動動作群における動作を行う際に、少なくとも中間輝度領域において、前記液晶印加電圧が前記入力印加電圧よりも高電圧側となると共に、高輝度領域において、前記液晶印加電圧が、前記入力印加電圧以上の高電圧側となりつつ前記中間輝度領域と比べて低電圧傾向となるように分割駆動動作を行う
液晶表示装置。
【請求項１０】
全体としてマトリクス状に配置されると共に、垂直配向（ＶＡ）モードの液晶により構成された液晶素子を有する複数の画素と、
各画素の液晶素子に対して入力映像信号に基づく電圧を印加することにより表示駆動を行うと共に、前記入力映像信号に基づき、各画素に対する表示駆動を空間的または時間的に複数に分割して分割駆動動作を行う駆動部と
を備え、
前記分割駆動動作が、
前記液晶素子に対して印加される液晶印加電圧が、前記入力映像信号に対応する入力印加電圧以上の高電圧側となるように分割駆動動作を行う第１の分割駆動動作群と、
前記液晶印加電圧が、前記入力印加電圧以下の低電圧側となるように分割駆動動作を行う第２の分割駆動動作群と
により構成され、
前記駆動部は、
前記第２の分割駆動動作群における動作を行う際に、少なくとも中間輝度領域において、前記液晶印加電圧が前記入力印加電圧よりも低電圧側となると共に、低輝度領域において、前記液晶印加電圧が、前記入力印加電圧以下の低電圧側となりつつ前記中間輝度領域と比べて高電圧傾向となるように分割駆動動作を行う
液晶表示装置。
【発明の詳細な説明】
【技術分野】
【０００１】
本発明は、垂直配向（ＶＡ）モードの液晶により構成された液晶表示装置に関する。
【背景技術】
【０００２】
近年、液晶テレビやノート型パソコン、カーナビゲーション等の表示モニタとして、例えば、垂直配向型液晶を用いたＶＡ（Vertical Alignment）モードを採用した液晶表示装置が提案されている。このＶＡモードでは、液晶分子が負の誘電率異方性、すなわち分子の長軸方向の誘電率が短軸方向に比べて小さい性質を有しており、ＴＮ（Twisted Nematic）モードに比べて広視野角を実現できる。
【０００３】
ところが、ＶＡモードの液晶を用いた液晶表示装置では、表示画面を正面方向から見た場合と斜め方向から見た場合とで、輝度が変動してしまうという問題がある。図１４は、ＶＡモードの液晶を用いた液晶表示装置における、映像信号の階調（０〜２５５階調）と輝度比（２５５階調での輝度に対する輝度比）との関係を表したものである。図中の矢印Ｐ１０１で示したように、正面方向から見た場合（Ｙｓ（０°））と、４５度方向から見た場合（Ｙｓ（４５°））とでは、輝度特性が大きく異なっている（輝度が高くなる方向に変動している）ことが分かる。このような現象は、「しらっちゃけ」や「Wash out」、「Color Shift」などと呼ばれ、ＶＡモードの液晶を用いた場合の液晶表示装置における最大の欠点とされている。
【０００４】
そこで、このような「しらっちゃけ」現象の改善策として、単位画素を複数のサブ画素に分離すると共に、各々のサブ画素でのしきい値を変えるようにしたもの（マルチ画素構造）が提案されている（例えば、特許文献１〜３）。これら特許文献１〜３に示されたマルチ画素構造は、容量結合によるＨＴ（ハーフトーン・グレスケール）法と呼ばれており、２つのサブ画素間の電位差が容量の比率で定まるようになっている。
【０００５】
図１５は、マルチ画素構造における映像信号の階調と各サブ画素の表示態様との関係の一例を表したものである。０階調（黒表示状態）から２５５階調（白表示状態）まで階調が上がる（輝度が高くなる）過程において、まず、画素のうちの一部分（一方のサブ画素）の輝度が高くなっていき、その後、画素のうちの他の部分（他方のサブ画素）の輝度が高くなっていくことが分かる。このようなマルチ画素構造によれば、例えば図１４中の矢印Ｐ１０２で示したように、マルチ画素構造における４５°方向での輝度特性（Ｙｍ（４５°））では、通常の画素構造における４５°方向での輝度特性（Ｙｓ（４５°））と比べ、「しらっちゃけ」現象が改善されていることが分かる。
【０００６】
なお、このようなマルチ画素構造とは別に、通常の画素構造において、表示駆動の単位フレームを複数（例えば、２つ）のサブフレームに時間的に分割すると共に、所望の輝度を高輝度のサブフレームと低輝度のサブフレームとを用いて分割して表現することによっても、マルチ画素構造の場合と同様にハーフトーンの効果を得ることにより、「しらっちゃけ」現象が改善されることが分かっている。
【０００７】
【特許文献１】特開平２−１２号公報
【特許文献２】米国特許第４，８４０，４６０号明細書
【特許文献３】特許第号３０７６９３８号明細書
【発明の開示】
【発明が解決しようとする課題】
【０００８】
ところが、これらのようなハーフトーン技術を用いた場合、以下のような現象が生じやすくなってしまうという問題があった。すなわち、まず、液晶素子へ印加する電圧（液晶印加電圧）において、低電圧（例えば、０階調／２５５階調）から高電圧（例えば、２５５階調／２５５階調）へ遷移する際に、ハーフトーン技術を用いない場合と比べて急激に上昇しやすくなるため、所望の電圧値（輝度値）まで輝度が上がらず、液晶の応答時間が悪化してしまうことになる。このような現象は「液晶の方位角ぶれ」と呼ばれており、低電圧印加状態から急激に高い電圧を印加したことにより、液晶が一旦ランダムな方位角に倒れ、その後所望の方位角に配向することに起因している。
【０００９】
また、液晶表示装置において中間調の応答速度を改善させる手法の一つとしてオーバードライブ駆動が挙げられるが、この場合も、ハーフトーン技術を用いない場合と比べて液晶印加電圧が低電圧から高電圧へと急激に上昇しやすくなるため、液晶の応答速度が改善されるものの、オーバードライブ駆動終了後に本来の階調の電圧が印加された際に、「ゆり戻し」と呼ばれる現象が生じやすくなってしまう。これは、液晶素子に対して、液晶が垂直状態である０階調からオーバードライブ駆動によって短時間に高電圧が印加されたことにより、画素内の一部分の液晶のみが倒れ、他の部分の液晶が倒れていないことによるものである。
【００１０】
このようにして、上記のようなハーフトーン技術を用いた場合、輝度の視野角特性が向上するものの、液晶の方位角ぶれやゆり戻し現象が発生しやすくなるため、動画表示特性が低下し、表示画質が劣化してしまうという問題があった。
【００１１】
本発明はかかる問題点に鑑みてなされたもので、その目的は、ＶＡモードの液晶を用いた液晶表示装置において、輝度の視野角特性を向上させつつ、従来よりも表示画質を向上させることが可能な液晶表示装置を提供することにある。
【課題を解決するための手段】
【００１２】
本発明の第１の液晶表示装置は、全体としてマトリクス状に配置されると共に、垂直配向（ＶＡ）モードの液晶により構成された液晶素子を有する複数の画素と、各画素の液晶素子に対して入力映像信号に基づく電圧を印加することにより表示駆動を行うと共に、その入力映像信号に基づき、各画素に対する表示駆動を空間的または時間的に複数に分割して分割駆動動作を行う駆動部とを備えたものである。ここで、この分割駆動動作は、液晶素子に対して印加される液晶印加電圧が入力映像信号に対応する入力印加電圧以上の高電圧側となるように分割駆動動作を行う第１の分割駆動動作群と、上記液晶印加電圧が入力印加電圧以下の低電圧側となるように分割駆動動作を行う第２の分割駆動動作群とにより構成されている。また、上記駆動部は、上記第１の分割駆動動作群における動作を行う際に、少なくとも中間輝度領域において液晶印加電圧が前記入力印加電圧よりも高電圧側となると共に、高輝度領域において、液晶印加電圧が入力印加電圧以上の高電圧側となりつつ中間輝度領域と比べて低電圧傾向となるように、分割駆動動作を行っている。上記駆動部はまた、上記第２の分割駆動動作群における動作を行う際に、少なくとも中間輝度領域において液晶印加電圧が入力印加電圧よりも低電圧側となると共に、低輝度領域において、液晶印加電圧が入力印加電圧以下の低電圧側となりつつ中間輝度領域と比べて高電圧傾向となるように、分割駆動動作を行っている。
【００１３】
本発明の第１の液晶表示装置では、ＶＡモードの液晶を用いた各画素の液晶素子に対する表示駆動における動作を行う際に、映像信号に基づき、各画素に対する表示駆動が空間的または時間的に複数に分割されて分割駆動動作がなされるため、そのような分割駆動動作を行わない場合と比べ、表示画面を斜め方向から見た場合のガンマ特性（映像信号の階調と輝度との関係を示す特性）の変動（表示画面を正面方向から見た場合からの変動）が分散される。また、上記第１の分割駆動動作群における動作を行う際に、高輝度領域において、液晶印加電圧が入力印加電圧以上の高電圧側となりつつ中間輝度領域と比べて低電圧傾向となるため、高輝度領域においてそのような低電圧傾向となっていない従来の分割駆動動作の場合と比べ、液晶印加電圧において低電圧から高電圧へ遷移する際の急激な上昇が抑えられる。さらに、上記第２の分割駆動動作群における動作を行う際に、低輝度領域において、液晶印加電圧が入力印加電圧以下の低電圧側となりつつ中間輝度領域と比べて高電圧傾向となるため、低輝度領域においてそのような高電圧傾向となっていない従来の分割駆動動作の場合と比べ、例えばオーバードライブ駆動を行う際に、液晶印加圧における低電圧から高電圧への急激な上昇が抑えられる。
【００１４】
本発明の第２の液晶表示装置は、上記複数の画素と、各画素の液晶素子に対して入力映像信号に基づく電圧を印加することにより表示駆動を行うと共に、その入力映像信号に基づき、各画素に対する表示駆動を空間的または時間的に複数に分割して分割駆動動作を行う駆動部とを備えたものである。また、この分割駆動動作は、上記第１の分割駆動動作群と、上記第２の分割駆動動作群とにより構成されている。また、上記駆動部は、上記第１の分割駆動動作群における動作を行う際に、少なくとも中間輝度領域において液晶印加電圧が前記入力印加電圧よりも高電圧側となると共に、高輝度領域において、液晶印加電圧が入力印加電圧以上の高電圧側となりつつ中間輝度領域と比べて低電圧傾向となるように、分割駆動動作を行っている。
【００１５】
本発明の第２の液晶表示装置では、ＶＡモードの液晶を用いた各画素の液晶素子に対する表示駆動における動作を行う際に、映像信号に基づき、各画素に対する表示駆動が空間的または時間的に複数に分割されて分割駆動動作がなされるため、そのような分割駆動動作を行わない場合と比べ、表示画面を斜め方向から見た場合のガンマ特性が分散される。また、上記第１の分割駆動動作群における動作を行う際に、高輝度領域において、液晶印加電圧が入力印加電圧以上の高電圧側となりつつ中間輝度領域と比べて低電圧傾向となるため、高輝度領域においてそのような低電圧傾向となっていない従来の分割駆動動作の場合と比べ、液晶印加電圧において低電圧から高電圧へ遷移する際の急激な上昇が抑えられる。
【００１６】
本発明の第３の液晶表示装置は、上記複数の画素と、各画素の液晶素子に対して入力映像信号に基づく電圧を印加することにより表示駆動を行うと共に、その入力映像信号に基づき、各画素に対する表示駆動を空間的または時間的に複数に分割して分割駆動動作を行う駆動部とを備えたものである。また、この分割駆動動作は、上記第１の分割駆動動作群と、上記第２の分割駆動動作群とにより構成されている。また、上記駆動部は、上記第２の分割駆動動作群における動作を行う際に、少なくとも中間輝度領域において液晶印加電圧が入力印加電圧よりも低電圧側となると共に、低輝度領域において、液晶印加電圧が入力印加電圧以下の低電圧側となりつつ中間輝度領域と比べて高電圧傾向となるように、分割駆動動作を行っている。
【００１７】
本発明の第３の液晶表示装置では、ＶＡモードの液晶を用いた各画素の液晶素子に対する表示駆動における動作を行う際に、映像信号に基づき、各画素に対する表示駆動が空間的または時間的に複数に分割されて分割駆動動作がなされるため、そのような分割駆動動作を行わない場合と比べ、表示画面を斜め方向から見た場合のガンマ特性が分散される。また、上記第２の分割駆動動作群における動作を行う際に、低輝度領域において、液晶印加電圧が入力印加電圧以下の低電圧側となりつつ中間輝度領域と比べて高電圧傾向となるため、低輝度領域においてそのような高電圧傾向となっていない従来の分割駆動動作の場合と比べ、例えばオーバードライブ駆動を行う際に、液晶印加圧における低電圧から高電圧への急激な上昇が抑えられる。
【発明の効果】
【００１８】
本発明の第１の液晶表示装置によれば、ＶＡモードの液晶を用いた各画素の液晶素子に対する表示駆動における動作を行う際に、各画素に対する表示駆動を空間的または時間的に複数に分割して分割駆動動作を行うようにしたので、そのような分割駆動動作を行わない場合と比べ、表示画面を斜め方向から見た場合のガンマ特性の変動を分散させることができ、輝度の視野角特性を向上させることができる。また、上記第１の分割駆動動作群における動作を行う際に、高輝度領域において、液晶印加電圧が入力印加電圧以上の高電圧側となりつつ中間輝度領域と比べて低電圧傾向となるようにしたので、液晶印加電圧において低電圧から高電圧へ遷移する際の急激な上昇を抑えることができ、従来の分割駆動動作の場合と比べて液晶の方位角ぶれを発生しにくくすることができる。さらに、上記第２の分割駆動動作群における動作を行う際に、低輝度領域において、液晶印加電圧が入力印加電圧以下の低電圧側となりつつ中間輝度領域と比べて高電圧傾向となるようにしたので、例えばオーバードライブ駆動を行う際に、液晶印加圧における低電圧から高電圧への急激な上昇が抑えることができ、従来の分割駆動動作の場合と比べてゆり戻し現象を発生しにくくすることができる。よって、ＶＡモードの液晶を用いた液晶表示装置において、輝度の視野角特性を向上させつつ、従来よりも表示画質を向上させることが可能となる。
【００１９】
本発明の第２の液晶表示装置によれば、ＶＡモードの液晶を用いた各画素の液晶素子に対する表示駆動における動作を行う際に、各画素に対する表示駆動を空間的または時間的に複数に分割して分割駆動動作を行うようにしたので、そのような分割駆動動作を行わない場合と比べ、表示画面を斜め方向から見た場合のガンマ特性の変動を分散させることができ、輝度の視野角特性を向上させることができる。また、上記第１の分割駆動動作群における動作を行う際に、高輝度領域において、液晶印加電圧が入力印加電圧以上の高電圧側となりつつ中間輝度領域と比べて低電圧傾向となるようにしたので、液晶印加電圧において低電圧から高電圧へ遷移する際の急激な上昇を抑えることができ、従来の分割駆動動作の場合と比べて液晶の方位角ぶれを発生しにくくすることができる。よって、ＶＡモードの液晶を用いた液晶表示装置において、輝度の視野角特性を向上させつつ、従来よりも表示画質を向上させることが可能となる。
【００２０】
本発明の第３の液晶表示装置によれば、ＶＡモードの液晶を用いた各画素の液晶素子に対する表示駆動における動作を行う際に、各画素に対する表示駆動を空間的または時間的に複数に分割して分割駆動動作を行うようにしたので、そのような分割駆動動作を行わない場合と比べ、表示画面を斜め方向から見た場合のガンマ特性の変動を分散させることができ、輝度の視野角特性を向上させることができる。また、上記第２の分割駆動動作群における動作を行う際に、低輝度領域において、液晶印加電圧が入力印加電圧以下の低電圧側となりつつ中間輝度領域と比べて高電圧傾向となるようにしたので、例えばオーバードライブ駆動を行う際に、液晶印加圧における低電圧から高電圧への急激な上昇が抑えることができ、従来の分割駆動動作の場合と比べてゆり戻し現象を発生しにくくすることができる。よって、ＶＡモードの液晶を用いた液晶表示装置において、輝度の視野角特性を向上させつつ、従来よりも表示画質を向上させることが可能となる。
【発明を実施するための最良の形態】
【００２１】
以下、本発明の実施の形態について、図面を参照して詳細に説明する。
【００２２】
図１は、本発明の一実施の形態に係る液晶表示装置（液晶表示装置１）の全体構成を表すものである。この液晶表示装置１は、液晶表示パネル２と、バックライト部３と、画像処理部４１と、マルチ画素変換部４３と、リファレンス電圧生成部４５と、データドライバ５１と、ゲートドライバ５２と、タイミング制御部６１と、バックライト制御部６３とを備えている。
【００２３】
バックライト部３は、液晶表示パネル２に対して光を照射する光源であり、例えばＣＣＦＬ（Cold Cathode Fluorescent Lamp：冷陰極蛍光ランプ）やＬＥＤ（Light Emitting Diode：発光ダイオード）などを含んで構成される。
【００２４】
液晶表示パネル２は、後述するゲートドライバ５２から供給される駆動信号に従って、データドライバ５１から供給される駆動電圧に基づいてバックライト部３から発せられる光を変調することにより、映像信号Ｄinに基づく映像表示を行うものであり、全体としてマトリクス状に並んで配置された複数の画素２０を含んで構成されている。各画素２０は、Ｒ（Red：赤），Ｇ（Green：緑）またはＢ（Blue：青）に対応する画素（図示しないＲ，Ｇ，Ｂ用のカラーフィルタが設けられている画素であり、Ｒ，Ｇ，Ｂの色の表示光を射出する画素）により構成されている。また、各画素２０内には、２つのサブ画素（後述するサブ画素２０Ａ，２０Ｂ）を含む画素回路が形成されている。なお、この画素回路の詳細構成については、後述する（図２，図３）。
【００２５】
画像処理部４１は、外部からの映像信号Ｄinに対して所定の画像処理を施すことにより、ＲＧＢ信号である映像信号Ｄ１を生成するものである。
【００２６】
マルチ画素変換部４３は、後述するルックアップテーブル（ＬＵＴ）を用いることにより、画像処理部４１から供給される映像信号Ｄ１を、各サブ画素用の２つの映像信号Ｄ２ａ，Ｄ２ｂに変換する（マルチ画素変換を行う）と共に、これら映像信号Ｄ２ａ，Ｄ２ｂをタイミング制御部６１へ供給するものである。このＬＵＴは、映像信号Ｄ１の輝度レベルの階調と、各サブ画素に対応する映像信号の輝度レベルの階調とを、Ｒ，Ｇ，Ｂに対応する画素の映像信号ごとに対応付けてなるものである。なお、ＬＵＴの詳細については、後述する（図４）。
【００２７】
リファレンス電圧生成部４５は、データドライバ５１に対し、後述するＤ／Ａ（デジタル／アナログ）変換を施す際に用いるリファレンス電圧Ｖrefを供給するものである。具体的には、このリファレンス電圧Ｖrefは、黒電圧（後述する０階調の輝度レベルの電圧）から白電圧（例えば、後述する２５５階調の輝度レベルの電圧）までの複数の基準電圧により構成されている。また、本実施の形態では、このリファレンス電圧Ｖrefは、Ｒ，Ｇ，Ｂに対応する画素間で共通のものとなっている。なお、このリファレンス電圧生成部４５は、例えば複数の抵抗器が直列接続された抵抗ツリー構造などにより構成される。
【００２８】
ゲートドライバ５２は、タイミング制御部６１によるタイミング制御に従って、液晶表示パネル２内の各画素２０を図示しない走査線（後述するゲート線Ｇ）に沿って線順次駆動するものである。
【００２９】
データドライバ５１は、液晶表示パネル２の各画素２０（より詳細には、各画素２０内の各サブ画素）へそれぞれ、タイミング制御部６１から供給される映像信号Ｄ２ａ，Ｄ２ｂに基づく駆動電圧を供給するものである。具体的には、このデータドライバ５１は、映像信号Ｄ２ａ，Ｄ２ｂに対し、リファレンス電圧生成部４５から供給されるリファレンス電圧Ｖrefを用いてそれぞれＤ／Ａ変換を施すことにより、アナログ信号である映像信号（上記駆動電圧）を生成し、各画素２０へ出力するようになっている。
【００３０】
バックライト駆動部６２は、バックライト部３の点灯動作を制御するものである。タイミング制御部６１は、ゲートドライバ５２およびデータドライバ５１の駆動タイミングを制御すると共に、映像信号Ｄ２ａ，Ｄ２ｂをデータドライバ５１へ供給するものである。
【００３１】
次に、図２および図３を参照して、各画素２０に形成された画素回路の構成について詳細に説明する。図２は、この画素２０内の画素回路の回路構成例を表したものである。また、図３は、この画素回路内の液晶素子における画素電極の平面構成例を表したものである。
【００３２】
画素２０は、２つのサブ画素２０Ａ，２０Ｂにより構成され、マルチ画素構造となっている。サブ画素２０Ａは、主容量素子である液晶素子２２Ａと、補助容量素子２３Ａと、薄膜トランジスタ（ＴＦＴ：Thin Film Transistor）素子２１Ａとを有している。サブ画素２０Ｂも同様に、主容量素子である液晶素子２２Ｂと、補助容量素子２３Ｂと、ＴＦＴ素子２１Ｂとを有している。また、画素２０には、駆動対象の画素を線順次で選択するための１本のゲート線Ｇと、駆動対象の画素に対してサブ画素２０Ａ，２０Ｂごとにそれぞれ駆動電圧（データドライバ５１から供給される駆動電圧）を供給する２本のデータＤＡ，ＤＢと、補助容量素子２３Ａ，２３Ｂの対向電極側に対して所定の基準電位を供給するためのバスラインである１本の補助容量線Ｃｓとが接続されている。
【００３３】
液晶素子２２Ａは、データ線ＤＡからＴＦＴ素子２１Ａを介して一端に供給される駆動電圧に応じて、表示のための動作を行う（表示光を射出する）表示要素として機能している。また、液晶素子２２Ｂも同様に、データ線ＤＢからＴＦＴ素子２１Ｂを介して一端に供給される駆動電圧に応じて、表示のための動作を行う（表示光を射出する）表示要素として機能している。これら液晶素子２２Ａ，２２Ｂは、ＶＡモードの液晶により構成された液晶層（図示せず）と、この液晶層を挟む一対の電極（図示せず）とを含んで構成されている。これら一対の電極のうちの一方（一端）側（図２中の符号Ｐ１Ａ，Ｐ１Ｂ側）は、ＴＦＴ素子２１Ａ，２１Ｂのソースおよび補助容量素子２３Ａ，２３Ｂの一端に接続され、他方（他端）側は接地されている。また、一対の電極のうちの一方側（図２中の符号Ｐ１Ａ，Ｐ１Ｂ側）の電極は、例えば図３に示したような平面形状の画素電極２２０となっており、サブ画素２０Ａ側の画素電極と、サブ画素２０Ｂ（２０Ｂ−１，２０Ｂ−２からなる）側の画素電極とから構成されている。
【００３４】
補助容量素子２３Ａ，２３Ｂは、液晶素子２２Ａ，２２Ｂの蓄積電荷を安定化させるための容量素子である。補助容量素子２３Ａの一端（一方の電極）は、液晶素子２２Ａの一端およびＴＦＴ素子２１Ａのソースに接続され、他端（対向電極）は補助容量線Ｃｓに接続されている。また、補助容量素子２３Ｂの一端（一方の電極）は、液晶素子２２Ｂの一端およびＴＦＴ素子２１Ｂのソースに接続され、他端（対向電極）は補助容量線Ｃｓに接続されている。
【００３５】
ＴＦＴ素子２１Ａは、ＭＯＳ−ＦＥＴ（Metal Oxide Semiconductor−Field Effect Transistor）により構成されており、ゲートがゲート線Ｇに接続され、ソースが液晶素子２２Ａの一端および補助容量素子２３Ａの一端に接続され、ドレインがデータ線ＤＡに接続されている。このＴＦＴ素子２１Ａは、液晶素子２２Ａの一端および補助容量素子２３Ａの一端に対し、サブ画素２０Ａ用の駆動電圧（映像信号Ｄ２ａに基づく駆動電圧）を供給するためのスイッチング素子として機能している。具体的には、ゲートドライバ５２からゲート線Ｇを介して供給される選択信号に応じて、データ線ＤＡと液晶素子２２Ａおよび補助容量素子２３Ａの一端同士との間を選択的に導通させるようになっている。
【００３６】
ＴＦＴ素子２１Ｂも同様にＭＯＳ−ＦＥＴにより構成されており、ゲートがゲート線Ｇに接続され、ソースが液晶素子２２Ｂの一端および補助容量素子２３Ｂの一端に接続され、ドレインがデータ線ＤＢに接続されている。このＴＦＴ素子２１Ｂは、液晶素子２２Ｂの一端および補助容量素子２３Ｂの一端に対し、サブ画素２０Ｂ用の駆動電圧（映像信号Ｄ２ｂに基づく駆動電圧）を供給するためのスイッチング素子として機能している。具体的には、ゲートドライバ５２からゲート線Ｇを介して供給される選択信号に応じて、データ線ＤＢと液晶素子２２Ｂおよび補助容量素子２３Ｂの一端同士との間を選択的に導通させるようになっている。
【００３７】
次に、図４を参照して、マルチ画素変換部４３において用いられるＬＵＴについて詳細に説明する。なお、以下説明する特性図においては、一例として、輝度レベルの階調が、０／２５５階調（黒表示状態）から２５５／２５５階調（白表示状態）までに設定されているものとする。
【００３８】
このＬＵＴは、例えば図４中の矢印Ｐ２ａ，Ｐ２ｂで示したように、マルチ画素変換部４３に供給される映像信号Ｄ１の輝度レベルの階調を、サブ画素２０Ａ用の映像信号Ｄ２ａの輝度レベルの階調と、サブ画素２０Ｂ用の映像信号Ｄ２ｂの輝度レベルの階調とに分割するためのものである。すなわち、映像信号Ｄ１に基づき、各画素２０に対する表示駆動を、サブ画素２０Ａ，２０Ｂごとに空間的に２つに分割して分割駆動動作を行うために用いられるものである。言い換えると、このときの分割駆動動作は、液晶素子２２Ａに対して印加される液晶印加電圧が映像信号Ｄ１に対応する入力印加電圧以上の高電圧側となるように分割駆動動作を行う第１の分割駆動動作（サブ画素２０Ａに対する分割駆動動作）と、液晶素子２２Ｂに対して印加される液晶印加電圧が上記入力印加電圧以下の低電圧側となるように分割駆動動作を行う第２の分割駆動動作（サブ画素２０Ｂに対する分割駆動動作）と、により構成されている。
【００３９】
また、このＬＵＴでは、サブ画素２０Ａに対する分割駆動動作の際に、例えば図４中の矢印Ｐ２ａで示したように、少なくとも中間輝度領域において、液晶素子２２Ａへの液晶印加電圧が、映像信号Ｄ１に対応する入力印加電圧よりも高電圧側となっている。そして、例えば図４中の矢印Ｐ３ａで示したように、高輝度領域において、液晶素子２２Ａへの液晶印加電圧が、映像信号Ｄ１に対応する入力印加電圧以上の高電圧側となりつつ、中間輝度領域と比べて低電圧傾向となっている。具体的には、このような高輝度領域における液晶素子２２Ａへの液晶印加電圧は、映像信号Ｄ１に対応する入力印加電圧以上かつ、「液晶の方位角ぶれ」が発生する電圧以下に設定されるようになっている。
【００４０】
さらに、このＬＵＴでは、サブ画素２０Ｂに対する分割駆動動作の際に、例えば図４中の矢印Ｐ２ｂで示したように、少なくとも中間輝度領域において、液晶素子２２Ｂへの液晶印加電圧が、映像信号Ｄ１に対応する入力印加電圧よりも低電圧側となっている。そして、例えば図４中の矢印Ｐ３ｂで示したように、低輝度領域において、液晶素子２２Ｂへの液晶印加電圧が、映像信号Ｄ１に対応する入力印加電圧以下の低電圧側となりつつ、中間輝度領域と比べて高電圧傾向となっている。具体的には、低輝度領域のうちの映像信号Ｄ１における最低輝度階調（０階調）以外では、液晶素子２２Ｂへの液晶印加電圧が、この最低輝度階調に対応する最低電圧よりも高電圧側となるように設定されている（映像信号Ｄ１における０階調以外では、映像信号Ｄ２ｂにおいて０階調とならないように設定されている）。
【００４１】
ここで、マルチ画素変換部４３、タイミング制御部６１、リファレンス電圧生成部４５、データドライバ５１およびゲートドライバ５２が、本発明における「駆動部」の一具体例に対応する。また、図４に示したＬＵＴが、本発明における「第１のＬＵＴ」の一具体例に対応する。また、サブ画素２０Ａが本発明における「第１のサブ画素群」の一具体例に対応し、サブ画素２０Ｂが本発明における「第２のサブ画素群」の一具体例に対応する。
【００４２】
次に、本実施の形態の液晶表示装置１の動作について説明する。
【００４３】
まず、図１〜図４を参照して、液晶表示装置１の基本動作について説明する。
【００４４】
この液晶表示装置１では、図１に示したように、外部から供給された映像信号Ｄinが画像処理部４１により画像処理され、各画素２０用の映像信号Ｄ１が生成される。この映像信号Ｄ１は、マルチ画素変換部４３へ供給される。マルチ画素変換部４３では、上述したＬＵＴを用いることにより、供給された映像信号Ｄ１が、各サブ画素２０Ａ，２０Ｂ用の２つの映像信号Ｄ２ａ，Ｄ２ｂに変換される（マルチ画素変換）。これら２つの映像信号Ｄ２ａ，Ｄ２ｂはそれぞれ、タイミング制御部６１を介してデータドライバ５１へ供給される。データドライバ５１では、リファレンス電圧生成部４５から供給されるリファレンス電圧Ｖrefを用いて映像信号Ｄ２ａ，Ｄ２ｂに対するＤ／Ａ変換が施され、アナログ信号である２つの映像信号が生成される。そしてこれら２つの映像信号に基づき、ゲートドライバ５２およびデータドライバ５１から出力される各画素２０内のサブ画素２０Ａ，２０Ｂへの駆動電圧によって、画素２０ごとに線順次表示駆動動作がなされる。
【００４５】
具体的には、図２および図３に示したように、ゲートドライバ５２からゲート線Ｇを介して供給される選択信号に応じて、ＴＦＴ素子２１Ａ，２１Ｂのオン・オフが切り替えられ、データ線ＤＡ，ＤＢと液晶素子２２Ａ，２２Ｂおよび補助容量素子２３Ａ，２３Ｂとの間が選択的に導通されることにより、データドライバ５１から供給される２つの映像信号に基づく駆動電圧が液晶素子２２Ａ，２２Ｂおよび補助容量素子２３Ａ，２３Ｂへと供給され、表示駆動動作がなされる。
【００４６】
すると、データ線ＤＡ，ＤＢと液晶素子２２Ａ，２２Ｂおよび補助容量素子２３Ａ，２３Ｂとの間が導通された画素２０では、バックライト部３０からの照明光が液晶表示パネル２において変調され、表示光として出力される。これにより、映像信号Ｄinに基づく映像表示が、液晶表示装置１において行われる。
【００４７】
次に、図１〜図４に加えて図５〜図７を参照して、本発明の液晶表示装置の駆動動作の特徴的部分について、比較例と比較しつつ詳細に説明する。ここで、図５〜図７は、比較例に係る従来の液晶表示装置におけるＬＵＴと、そのＬＵＴを用いた場合の問題点とについて説明するためのものである。
【００４８】
まず、本実施の形態の液晶表示装置１では、図４に示したＬＵＴを用いることにより、ＶＡモードの液晶を用いた各画素２０の液晶素子２２Ａ，２２Ｂに対する表示駆動における動作を行う際に、映像信号Ｄ１に基づき、各画素２０に対する表示駆動が空間的に２つに分割されて分割駆動動作がなされる（図４中の矢印Ｐ２ａ，Ｐ２ｂ参照）。具体的には、各画素２０が２つのサブ画素２０Ａ，２０Ｂにより構成されると共に、映像信号Ｄ１に対してマルチ画素変換がなされた映像信号Ｄ３ａ，Ｄ３ｂ（図示せず；データドライバ５１から供給されるアナログ信号からなる２つの映像信号）に基づき、各画素２０に対する表示駆動をサブ画素２０Ａ，２０Ｂごとに空間的に２つに分割して分割駆動動作がなされる。したがって、そのような分割駆動動作を行わない場合と比べ、表示画面を斜め方向（例えば、４５°方向）から見た場合のガンマ特性（映像信号Ｄ１の輝度レベルの階調と、輝度との関係を示す特性）の変動（表示画面を正面方向から見た場合からの変動）が、分散される。これにより、例えば図１４中の輝度特性Ｙｍ（４５°）のように、マルチ画素構造による分割駆動動作を行っていない場合（例えば、図１４中の輝度特性Ｙｓ（４５°））と比べ、輝度の視野角特性が向上する。
【００４９】
一方、比較例に係る液晶表示装置においても、同様にマルチ画素構造による分割駆動動作を行っているため（例えば、図５中の矢印Ｐ１０２ａ，Ｐ１０２ｂ参照）、マルチ画素構造による分割駆動動作を行っていない場合と比べ、輝度の視野角特性が向上している。ただし、この比較例では、図４に示した本実施の形態のＬＵＴの代わりに、図５に示したようなＬＵＴを用いることにより、マルチ画素構造による分割駆動動作がなされている。具体的には、このＬＵＴでは、サブ画素２０Ａに対する分割駆動動作（図５中の映像信号Ｄ１０２ａに対応）における動作を行う際に、高輝度領域において、図４中の矢印Ｐ３ａで示したような低電圧傾向となっていない。また、サブ画素２０Ｂに対する分割駆動動作（図５中の映像信号Ｄ１０２ｂに対応）における動作を行う際にも、低輝度領域において、図４中の矢印Ｐ３ｂで示したような高電圧傾向となっていない。
【００５０】
ここで、このようなＬＵＴを用いている比較例に係る液晶表示装置では、上記のように、サブ画素２０Ａに対する分割駆動動作の際に高輝度領域において低電圧傾向となっていないと共に、サブ画素２０Ｂに対する分割駆動動作の際に低輝度領域において高電圧傾向となっていないため、以下のような現象が生じやすくなってしまう。そしてその結果、動画表示特性が低下し、表示画質が劣化してしまうことになる。
【００５１】
具体的には、まず、例えば図６中の符号Ｐ１０３ａ，Ｐ１０３ｂで示したように、サブ画素２０Ａ内の液晶素子２２Ａへ印加する電圧（液晶印加電圧）において、低電圧（例えば、０階調／２５５階調）から高電圧（例えば、２５５階調／２５５階調）へ遷移する際に、所望の電圧値（輝度値）まで輝度が上がらず、液晶の応答時間が悪化してしまいやすくなる。これは、サブ画素構造のようなハーフトーン技術を用いた場合、サブ画素２０Ａには、ハーフトーン技術を用いない場合と比べてより低い階調から高電圧を印加することとなるため、「液晶の方位角ぶれ」による応答時間の悪化が、より多くの階調において発生することによるものである。
【００５２】
また、例えば図５中の映像信号Ｄ１０２ｂのように、サブ画素２０Ｂ内の液晶素子２２Ｂへ印加する電圧（液晶印加電圧）では、オーバードライブ（ＯＤ）駆動を行う際に、ハーフトーン技術を用いない場合と比べて０階調を用いる場合が増えるため、液晶印加電圧を、低電圧から高電圧へと急激に上昇させなければならなくなる。その結果、オーバードライブ駆動によって液晶の応答速度が改善されるものの、例えば図７中の符号Ｐ１０４で示したように、オーバードライブ駆動終了後に本来の階調の電圧が印加された際に、「ゆり戻し現象」が生じやすくなってしまう。
【００５３】
これに対し、本実施の形態の液晶表示装置１では、図４に示したＬＵＴにおいて、サブ画素２０Ａに対する分割駆動動作の際に、図４中の矢印Ｐ３ａで示したように、高輝度領域において、液晶素子２２Ａへの液晶印加電圧が、映像信号Ｄ１に対応する入力印加電圧以上の高電圧側となりつつ、中間輝度領域と比べて低電圧傾向となっている。具体的には、このような高輝度領域における液晶素子２２Ａへの液晶印加電圧は、映像信号Ｄ１に対応する入力印加電圧以上かつ、「液晶の方位角ぶれ」が発生する電圧以下に設定されている。これにより、高輝度領域においてそのような低電圧傾向となっていない比較例の分割駆動動作と比べ、液晶印加電圧において低電圧から高電圧へ遷移する際の急激な上昇が抑えられる。よって、「液晶の方位角ぶれ」が発生する階調数が低減（例えば、３２階調から６階調へと低減）することとなる。なお、このとき、サブ画素２０Ｂに対する分割駆動動作の際に、映像信号Ｄ１の場合と比べてガンマ特性が変化しないよう、高輝度領域において逆に高電圧傾向となっている。
【００５４】
また、サブ画素２０Ｂに対する分割駆動動作の際に、例えば図４中の矢印Ｐ３ｂで示したように、低輝度領域において、液晶素子２２Ｂへの液晶印加電圧が、映像信号Ｄ１に対応する入力印加電圧以下の低電圧側となりつつ、中間輝度領域と比べて高電圧傾向となっている。具体的には、低輝度領域のうちの映像信号Ｄ１における最低輝度階調（０階調）以外では、液晶素子２２Ｂへの液晶印加電圧が、この最低輝度階調に対応する最低電圧よりも高電圧側となるように設定されている（映像信号Ｄ１における０階調以外では、映像信号Ｄ２ｂにおいて０階調とならないように設定されている）。これにより、低輝度領域においてそのような高電圧傾向となっていない比較例の分割駆動動作と比べ、オーバードライブ駆動を行う際に、液晶印加圧における低電圧から高電圧への急激な上昇が抑えられる。よって、「ゆり戻し現象」が発生する階調数が低減（例えば、６４階調から２０階調へと低減）することとなる。なお、このときも、サブ画素２０Ａに対する分割駆動動作の際に、映像信号Ｄ１の場合と比べてガンマ特性が変化しないよう、低輝度領域において逆に低電圧傾向となっている。
【００５５】
以上のように本実施の形態では、ＶＡモードの液晶を用いた各画素２０の液晶素子２２Ａ，２２Ｂに対する表示駆動における動作を行う際に、各画素２０に対する表示駆動を空間的に２つ分割して分割駆動動作を行うようにしたので、そのような分割駆動動作を行わない場合と比べ、表示画面を斜め方向から見た場合のガンマ特性の変動を分散させることができ、輝度の視野角特性を向上させることができる。また、サブ画素２０Ａに対する分割駆動動作の際に、高輝度領域において、液晶素子２２Ａへの液晶印加電圧が、映像信号Ｄ１に対応する入力印加電圧以上の高電圧側となりつつ中間輝度領域と比べて低電圧傾向となるようにしたので、液晶印加電圧において低電圧から高電圧へ遷移する際の急激な上昇を抑えることができ、従来の分割駆動動作の場合と比べて液晶の方位角ぶれを発生しにくくすることができる。さらに、サブ画素２０Ｂに対する分割駆動動作の際に、低輝度領域において、液晶素子２２Ｂへの液晶印加電圧が、映像信号Ｄ１に対応する入力印加電圧以下の低電圧側となりつつ中間輝度領域と比べて高電圧傾向となるようにしたので、オーバードライブ駆動を行う際に、液晶印加圧における低電圧から高電圧への急激な上昇が抑えることができ、従来の分割駆動動作の場合と比べてゆり戻し現象を発生しにくくすることができる。よって、ＶＡモードの液晶を用いた液晶表示装置において、輝度の視野角特性を向上させつつ、従来よりも表示画質を向上させることが可能となる。
【００５６】
具体的には、各画素２０を２つのサブ画素２０Ａ，２０Ｂにより構成すると共に、映像信号Ｄ１に対してマルチ画素変換がなされた映像信号Ｄ３ａ，Ｄ３ｂに基づき、各画素２０に対する表示駆動をサブ画素２０Ａ，２０Ｂごとに空間的に２つに分割して分割駆動動作を行うようにしたので、上記効果を得ることが可能となる。
【００５７】
また、映像信号Ｄ１と各サブ画素２０Ａ，２０Ｂに対応する映像信号Ｄ３ａ，Ｄ３ｂとを対応付けてなるＬＵＴを用いることにより、各画素２０に対する表示駆動を、サブ画素２０Ａ，２０Ｂごとに空間的に２つに分割して分割駆動動作を行うことが可能となる。
【００５８】
さらに、サブ画素２０Ｂに対する分割駆動動作の際に、低輝度領域のうちの映像信号Ｄ１における最低輝度階調（０階調）以外では、液晶素子２２Ｂへの液晶印加電圧が、この最低輝度階調に対応する最低電圧よりも高電圧側となるように設定（映像信号Ｄ１における０階調以外では、映像信号Ｄ２ｂにおいて０階調とならないように設定）したので、オーバードライブ駆動を行う際に、ゆり戻し現象をより発生しにくくすることができる。
【００５９】
以上、実施の形態を挙げて本発明を説明したが、本発明はこの実施の形態に限定されるものではなく、種々の変形が可能である。
【００６０】
例えば、上記実施の形態では、例えば図４に示したＬＵＴのように、「液晶の方位角ぶれ」および「ゆり戻し現象」の２つの現象を発生しにくくするため、図中の矢印Ｐ３ａ，Ｐ３ｂで示した２つの対策を行った場合について説明したが、これら２つの対策のうちの一方のみを行うようにしてもよい。具体的には、例えば図８に示したＬＵＴのように、「液晶の方位角ぶれ」の現象のみを発生しにくくするため、図中の矢印Ｐ３ａで示した１つの対策を行うようにしてもよい。また、例えば図９に示したＬＵＴのように、「ゆり戻し現象」のみを発生しにくくするため、図中の矢印Ｐ３ｂで示した１つの対策を行うようにしてもよい。これらのように構成した場合でも、輝度の視野角特性を向上させつつ、従来と比べてある程度表示画質を向上させることが可能となる。
【００６１】
また、上記実施の形態では、図２に示した画素２０およびサブ画素２０Ａ，２０Ｂのように、各画素２０において、１本のゲート線Ｇおよび２本のデータ線ＤＡ，ＤＢが接続されている場合のマルチ画素構造について説明したが、例えば図１０に示した画素２０−１およびサブ画素２０Ａ−１，２０Ｂ−１のように、各画素２０−１において、２本のゲート線ＧＡ，ＧＢおよび１本のデータ線Ｄが接続されているようなマルチ画素構造においても、本発明を適用することが可能である。なお、このような画素２０−１の場合、例えば、表示駆動の単位フレーム（１フレーム期間）を時間軸に沿って２分割して２つのサブフレーム期間を設けると共に、各サブフレーム期間内でゲート線ＧＡ，ＧＢから供給される選択信号およびデータドライバＤから供給される駆動電圧に従って、各サブ画素２０Ａ，２０Ｂが駆動されることになる。
【００６２】
また、上記実施の形態では、図１および図４に示したように、映像信号Ｄ１と各サブ画素２０Ａ，２０Ｂに対応する映像信号Ｄ３ａ，Ｄ３ｂとを対応付けてなるＬＵＴを用いることにより、各画素２０に対する表示駆動をサブ画素２０Ａ，２０Ｂごとに空間的に２つに分割して分割駆動動作を行う場合について説明したが、他の手法を用いるようにしてもよい。具体的には、例えば図１１に示した液晶表示装置１Ａのように、画像処理部４１から供給される映像信号Ｄ１をデータドライバ５１において映像信号Ｄ３ａ，Ｄ３ｂ（図示せず）へＤ／Ａ変換する際に用いるリファレンス電圧が、サブ画素２０Ａ，２０Ｂごとに互いに異なる（サブ画素２０Ａに対応するリファレンス電圧ＶrefＡと、サブ画素２０Ｂに対応するリファレンス電圧ＶrefＢとが、互いに異なっている）ように設定することにより、上記実施の形態と同様に、各画素２０に対する表示駆動をサブ画素２０Ａ，２０Ｂごとに空間的に２つに分割して分割駆動動作を行うようにしてもよい。このように構成した場合も、上記実施の形態と同様の効果を得ることが可能である。なお、この場合においても、図１０に示したようなマルチ画素構造を適用することが可能である。
【００６３】
また、上記実施の形態では、各画素２０を２つのサブ画素２０Ａ，２０Ｂにより構成すると共に、各画素２０に対する表示駆動をサブ画素２０Ａ，２０Ｂごとに空間的に２つに分割して分割駆動動作を行う場合について説明したが、他の手法を用いるようにしてもよい。具体的には、例えば図１２に示したような通常のシングル構造の画素２０−２（１つの液晶素子２２、１つの補助容量素子２３および１つのＴＦＴ素子２１を有すると共に、１本のゲート線Ｇおよび１本のデータ線Ｄが接続されている）において、例えば図１３に示したように、表示駆動の単位フレーム（１フレーム期間）を２つのサブフレーム期間ＳＦＡ，ＳＦＢに時間的に分割すると共に、所望の輝度を高輝度のサブフレームＳＦＡと低輝度のサブフレームＳＦＢとを用いて分割して表現することによって、マルチ画素構造の場合と同様にハーフトーンの効果を得るようにしてもよい。より具体的には、映像信号Ｄ１に基づき、各画素２０−２に対する表示駆動を、サブフレーム期間ＳＦＡ，ＳＦＢごとに時間的に２つに分割して分割駆動動作を行うようにしてもよい。言い換えると、このときの分割駆動動作は、液晶素子２２に対して印加される液晶印加電圧が映像信号Ｄ１に対応する入力印加電圧以上の高電圧側となるように分割駆動動作を行う第１の分割駆動動作（サブフレーム期間ＳＦＡに対する分割駆動動作）と、液晶素子２２に対して印加される液晶印加電圧が上記入力印加電圧以下の低電圧側となるように分割駆動動作を行う第２の分割駆動動作（サブフレーム期間ＳＦＢに対する分割駆動動作）と、により構成されている。また、このように、各画素２０−２に対する表示駆動をサブフレーム期間ＳＦＡ，ＳＦＢごとに時間的に２つに分割して分割駆動動作を行う手法としては、図４に示したＬＵＴと同様に、映像信号Ｄ１と各サブフレーム期間ＳＦＡ，ＳＦＢに対応する映像信号とを対応付けてなるＬＵＴ（第２のＬＵＴ）を用いるようにしてもよい。あるいは、図１１に示した液晶表示装置１Ａの場合と同様に、映像信号Ｄ１をＤ／Ａ変換する際に用いるリファレンス電圧が、サブフレーム期間ＳＦＡ，ＳＦＢごとに互いに異なるように設定するようにしてもよい。これらのように構成した場合も、上記実施の形態と同様の効果を得ることが可能である。
【００６４】
また、上記実施の形態では、画素電極２２０の平面形状を具体的に挙げて説明したが、画素電極の平面形状は、図３に示したものには限られない。
【００６５】
さらに、各画素２０内のサブ画素の数および１フレーム期間内のサブフレーム期間の数は、これまで説明したような２つの場合には限られず、３つ以上であってもよい。
【図面の簡単な説明】
【００６６】
【図１】本発明の一実施の形態に係る液晶表示装置の全体構成を表すブロック図である。
【図２】図１に示した画素の詳細構成を表す回路図である。
【図３】図３に示した液晶素子における画素電極の詳細構成を表す平面図である。
【図４】図１に示したマルチ画素変換部において用いられるＬＵＴ（ルックアップテーブル）の一例を表す特性図である。
【図５】比較例に係るＬＵＴを表す特性図である。
【図６】液晶の方位角ぶれについて説明するための特性図である。
【図７】ゆり戻し現象について説明するための特性図である。
【図８】本発明の変形例に係るＬＵＴを表す特性図である。
【図９】本発明の他の変形例に係るＬＵＴを表す特性図である。
【図１０】本発明の他の変形例に係る画素の詳細構成を表す回路図である。
【図１１】本発明の他の変形例に係る液晶表示装置の全体構成を表すブロック図である。
【図１２】本発明の他の変形例に係る画素の詳細構成を表す回路図である。
【図１３】図１２に示した変形例に係る表示駆動の際のサブフレーム期間について説明するためのタイミング図である。
【図１４】従来の液晶表示装置における映像信号の階調と液晶表示パネルの正面方向および４５°方向での輝度比との関係の一例を表す特性図である。
【図１５】従来のマルチ画素構造における映像信号の階調と各サブ画素の表示態様との関係の一例を表す平面図である。
【符号の説明】
【００６７】
１，１Ａ…液晶表示装置、２…液晶表示パネル、２０，２０−１，２０−２…画素、２０Ａ，２０Ａ−１，２０Ｂ，２０Ｂ−１…サブ画素、２１，２１Ａ，２１Ｂ…ＴＦＴ素子、２２，２２Ａ，２２Ｂ…液晶素子、２２０…画素電極、２３，２３Ａ，２３Ｂ…補助容量素子、３…バックライト部、４１…画像処理部、４３…マルチ画素変換部、４５，４５Ａ…リファレンス電圧生成部、５１…データドライバ、５２…ゲートドライバ、６１…タイミング制御部、６２…バックライト駆動部、Ｄin…映像信号、Ｄ１，Ｄ２ａ，Ｄ２ｂ…映像信号、Ｖref，ＶrefＡ，ＶrefＢ…リファレンス電圧、Ｇ，ＧＡ，ＧＢ…ゲート線、Ｄ，ＤＡ，ＤＢ…データ線、Ｃｓ…補助容量線、ＳＦＡ，ＳＦＢ…サブフレーム期間。
【図１】
2010008681.tif 000003
【図２】
2010008681.tif 000004
【図３】
2010008681.tif 000005
【図４】
2010008681.tif 000006
【図５】
2010008681.tif 000007
【図６】
2010008681.tif 000008
【図７】
2010008681.tif 000009
【図８】
2010008681.tif 000010
【図９】
2010008681.tif 000011
【図１０】
2010008681.tif 000012
【図１１】
2010008681.tif 000013
【図１２】
2010008681.tif 000014
【図１３】
2010008681.tif 000015
【図１４】
2010008681.tif 000016
【図１５】
2010008681.tif 000017